(57)【特許請求の範囲】
【請求項１】
少なくとも一つのコンタクトを収容する絶縁性材料からなる内部ハウジングと、この内部ハウジングの周面を覆うように形成された導電性材料からなる筒状のシェルとを備え、このシェルは対応するコネクタに対して固定するためのロック構造を備えるコネクタであって、
前記ロック構造は無負荷時、前記シェルの側面の一部を構成する片持ち梁状のロック片と、このロック片の内向きの変位を規制する規制部とを備え、前記ロック片の内向きの変位を、弾性変形領域内で前記規制部が規制し、
前記ロック片が対応するコネクタに係合するためのロック爪を、前記ロック片の外面に備え、
前記ロック片が嵌合方向に対して直交する少なくとも一方向に張出したウイングを備え、前記ロック片の内向きの変位の際、このウイングの変位が前記規制部で規制され、
前記規制部が前記シェルの側面の一部の切り欠きで形成され、この切り欠きで形成された前記シェルの切断面が前記ウイングの内向きの変位を規制するところに特徴を有するコネクタ。
【発明の詳細な説明】
【技術分野】
【０００１】
本発明は、導電性のシェルで外周が覆われたコネクタに関し、特にロック構造を備えたコネクタに関する。
【背景技術】
【０００２】
この技術分野のコネクタとして特許文献１記載の技術が知られている。この技術によれば、金属製のロック片は独立した構造体で、シェル本体とは別部品を構成している。これにより、コネクタの完成は、ロック片を本体シェルに組み付けるための作業工程を要する。また、特許文献２記載の技術によれば、ロック片は、シェルと一体的に構成されていて、片持ち梁状で自由端が弾性的に稼動するものであるが、このロック片の動きを規制する手段が設けられていない。そのために、ハーネス加工時や部品搬送時に、シェルに不慮の力が加わった場合、ロック片が変形するおそれがある。
【先行技術文献】
【特許文献】
【０００３】
【特許文献１】特開２００４−０１４３８４号公報
【特許文献２】特開２００４−０６３２７３号公報
【発明の概要】
【発明が解決しようとする課題】
【０００４】
本発明は、上記事情に鑑みてなされたもので、良好な組み付け作業性を確保しつつ、外力が作用した場合でもロック片が変形するおそれが抑制されたコネクタを提供するものである。
【課題を解決するための手段】
【０００５】
本発明のコネクタは、（１）少なくとも一つのコンタクトを収容する絶縁性材料からなる内部ハウジングと、この内部ハウジングの周面を覆うように形成された導電性材料からなる筒状のシェルとを備え、このシェルは対応するコネクタに対して固定するためのロック構造を備えるコネクタであって、前記ロック構造は無負荷時、前記シェルの側面の一部を構成する片持ち梁状のロック片と、このロック片の内向きの変位を規制する規制部とを備え、前記ロック片の内向きの変位を、弾性変形領域内で前記規制部が規制し、前記ロック片が対応するコネクタに係合するためのロック爪を、前記ロック片の外面に備え、前記ロック片が嵌合方向に対して直交する少なくとも一方向に張出したウイングを備え、前記ロック片の内向きの変位の際、このウイングの変位が前記規制部で規制され、前記規制部が前記シェルの側面の一部の切り欠きで形成され、この切り欠きで形成された前記シェルの切断面が前記ウイングの内向きの変位を規制するところに特徴を有するものである。
【０００６】
この発明によれば、シェルはシェル本体と一体的なロック構造を備えている。たとえば、一般的なシェルの加工材料である金属圧延材の場合、シェルの展開形状にロック構造を含んでいてもよく、この場合には、コネクタの組み付け作業において別途ロック構造の組み付け作業を要しない。したがって、作業性が損なわれないロック構造を備えたコネクタが得られる。
【０００７】
この発明によれば、シェルは単体でロック片の変位を規制するための変位規制手段を備えている。これにより、シェルがコネクタに組み付けられるまでの間、特にシェル単体で取り扱われる状態で、シェルに加わる外力によって生じるロック片の変形が抑制される。
この発明によれば、無負荷時、たとえばロック操作のおこなわれない状態で、ロック片はシェルの側面の一部を構成する。これにより、特に通電時、導電性材料からなるシェルの覆い構造にシールド性が損なわれるような穴開き部が生じないので、シールド性が良好なコネクタが得られる。
【０００８】
ロック構造は、ロック片と、規制部とを備えるが、その態様は様々とりうる。たとえば、ロック片は、片持ち梁状の弾性片で、シェルの一側面を構成し、シェルの内側及び／又は外側に変位可能な構造であってよく、ロック片の変位は外部に取り付けられるハウジングに操作部があり、この操作部の動きに連動する構造であってもよい。あるいは、このような構造のものでなくてもよい。
さらに、ロック片は、この外側に突起部が備わり、対応するコネクタにこの突起部に係合する係合孔が備わる態様であってよい。またこの逆で、ロック片に係合孔が備わり、対応するコネクタにこの係合孔に係合する突起部が備わる態様であってもよい。あるいは、このような態様のものでなくてもよい。
片持ち梁状のロック片の自由端（先端）の方向は、嵌合側に向かう態様であってよく、またこの逆で、反嵌合側に向かう態様であってもよい。また、嵌合方向に対して直交する方向に自由端（先端）が向かう態様であってもよい。
【０００９】
規制部は、ロック片の内向きの変位を規制するために備わる。規制位置は、ロック片の弾性変形領域内である。これにより、ロック片に不慮の外力が加わり内向きに変形が生じた場合でも、変形は弾性領域内で留まり負荷が除かれたあとは、ロック片は元の位置まで戻り、シェルの側壁の一部としての機能を果たす。規制部も様々な態様をとりうる。たとえば、シェルの側壁の一部を概ね９０度切り起こして、その表面でロック片の変位を受け止める態様であってよく、シェルの側壁の一部を切り欠いて、側壁の切断面を露出させ、その切断面でロック片の変位を受け止める態様であってもよい。あるいは、このような構造のものでなくてもよい。
【００１１】
この発明によれば、ロック片がロック爪を備える。これにより、対応するコネクタにこのロック爪に係合する係合孔が備わることで、ロック構造を備えたコネクタ構造が構築される。ロック爪は、ロック片に備わるので、確実なロック操作がおこなえるとともに、ロック片の外面に備わるので、ロック片を内向きに変位させる簡単な動きでロック操作がおこなえる。ロック片の内向きの変位は規制部で規制されているが、この規制位置は、ロック操作に必要なストロークは確保されている。ロック操作時でも過度な力が加えられたときには、この規制部が効果的に作用する。
【００１３】
この発明によれば、ロック片はウイングを備える。ウイングは、ロック片から幅方向に張出した張出し片で、規制部で変位が規制される。これにより、加工が容易で、スペース効率が良好な変位規制手段が構成される。特に、シェルがコネクタに組み付けられるまでのシェル単体状態において、シェルに加わる外力で生じるロック片の変形が抑制される。
【００１４】
ウイングは、シェルの板厚寸法に比べて大きな寸法の長手方向の長さを有した態様であってよく、最も大きな場合には、ロック片の側端全体が幅方向に張出す態様であってもよい。ウイングは、ロック片の側端から幅方向に真直ぐ張出す態様であってよく、張出す途中で段差が加わる態様であってもよい。さらには、先端が概ね９０度下方に向かって曲がる態様であってもよい。この場合には、ウイングの内向きの変位を受け止める規制部は、シェルの側面が概ね９０度切り起こされた態様が好ましい。
【００１５】
ウイングは、ロック片の自由端部付近に備わる態様であってよく、基端部付近に備わる態様であってもよい。さらには、これらの中間部付近に備わる態様であってもよい。ウイングが基端部付近に備わる場合には、変位量が小さいので規制位置の感度が、先端部付近に備わる場合に比べて鈍る。したがって、感度のよい状態を望む場合には、ウイングは中間部から先端部の間に備わるのが好ましい。ウイングは、幅方向に延びる先端がシェルの側面からはみ出す態様であってよく、シェルの外側面と概ね同じ位置か、あるいは外側面よりも内側に備わる態様であってもよい。ウイングがシェルの外側面と同じ位置か、あるいは、ここよりも内側にある場合には、シェルの大型化が抑制される。
【００１７】
この発明によれば、切り欠きで形成されたシェルの切断面が規制部を構成する。これにより、加工（作業）が容易で、スペース効率が良好な変位規制手段を備えたコネクタが得られる。
【００１８】
切り欠きは、ウイングの大きさに対応した大きさを備え、内向きに変位するウイングの下面をその切断面で受け止める。ロック片（ウイング）の内向きの変位の規制は、切断面が位置する切り欠き深さで決定される。この規制位置は、ロック操作に必要なストロークを確保しつつ、負荷によるロック片の塑性変形が生じない弾性変形領域内で構成されることとなる。このように簡単な構成で精度のよい変位規制手段を備えたロック構造が得られる。
【図面の簡単な説明】
【００１９】
【図１】図１は本発明の実施形態に係るコネクタの要部を示した分解斜視図である。
【図２】図２は図１におけるＩＩ−ＩＩ線に沿った断面図である。
【図３】図３は本発明の実施形態に係るコネクタのシェルの平面図である。
【図４】図４は同コネクタのシェルの側面図である。
【図５】図５は同コネクタのシェルの正面図である。
【図６】図６は同コネクタのシェルの背面図である。
【図７】図７は同コネクタの内部ハウジングの平面図である。
【図８】図８は同コネクタの内部ハウジングの側面図である。
【図９】図９は同コネクタの内部ハウジングの正面図である。
【図１０】図１０は同コネクタの組み付け完成品の外観斜視図である。
【図１１】図１１は同コネクタの組み付け工程図であって、（Ａ）はコンタクトと電線を組み付ける工程、（Ｂ）はコンタクトを内部ハウジングに組み付ける工程、（Ｃ）はシェルを内部ハウジングに組み付ける工程、（Ｄ）は外部ハウジングを組み付ける工程である。
【図１２】図１２は図１０のＸＩＩ−ＸＩＩ線に沿った断面図である。
【図１３】図１３は本発明の実施形態に係るコネクタのロック片の変位限界の規制状態を示す要部拡大図であり、（Ａ）はロック片の変位途中を示す斜視図であり、（Ｂ）はロック片の変位が規制された状態を示す斜視図である。
【図１４】別の実施形態に係るシェルの外観斜視図である。
【発明を実施するための形態】
【００２０】
本発明の実施形態を添付図面に基づいて説明するが、本発明の技術的範囲は、これらの実施形態によって限定されるものではなく、発明の要旨を逸脱しない範囲で実施することができる。図１は、本発明の実施形態に係るコネクタの要部を示した分解斜視図である。
図２は図１におけるＩＩ−ＩＩ線に沿った断面図である。図３から図６は、本発明の実施形態に係るコネクタのシェルが示される図である。図７から図９は、本発明の実施形態に係るコネクタの内部ハウジングが示される図である。なお、説明中の指示方向は、断りのない限り図面中で定義する方向指示に従う。特許請求の範囲で使用する語句のうち、シェルは、発明を実施するための形態で使用する、シェル本体部に相当する。
【００２１】
〈コネクタの概要〉
本発明のコネクタ１は、図１に示されるように、コンタクト３０を収容する絶縁性材料からなる内部ハウジング１０と、内部ハウジング１０の周面を覆う導電性材料からなる筒状のシェル２０とを備え、シェル２０は対応する図示しないコネクタに対して固定するためのロック構造を備えている。ロック構造は無負荷時、シェル２０の側面の一部を構成する片持ち梁状のロック片２０５と、ロック片２０５の内向きの変位を規制する規制部２２０とを備え、ロック片２０５の内向きの変位を、弾性変形領域内で規制部２２０が規制する。
【００２２】
さらに、図１に示されるように、ロック片２０５が嵌合方向（前後方向）に対して直交する方向（以下、幅方向とも言う）に張出したウイング２１３を備え、ロック片２０５の内向き（下向き）の変位の際、ウイング２１３の変位が規制部２２０で規制される。規制部２２０は、シェル本体部２００の側面の一部の切り欠きで形成され、この切り欠きで形成されたシェル本体部２００の切断面がウイング２１３の内向きの変位を規制する。コネクタ１は、後端で電線５０に電気的機械的に接続し、外周面が外部ハウジング４０で覆われている。
【００２３】
〈シェル〉
シェル２０は、図１に示されるように、電線５０端末における伝送特性の低下を抑制するために、内部ハウジング１０を覆う態様で組み付けられる。シェル２０は、導電性材料の金属圧延材の折り曲げ加工品であり、電気特性および加工性等を考慮してリン青銅などの銅合金が一般的に使用される。シェル本体部２００は、断面矩形の筒状体である。
【００２４】
シェル２０は、図３から図６に示されるように、周囲四面が囲われた筒状のシェル本体部２００、電線５０に接続するバレル部２３１、および本体部２００と、バレル部２５０とをつなぐ連結部２４０を備えている。シェル本体部２００は、上面にロック片２０５、左右側面の上端縁に規制部２２０、２２０を備えている。シェル本体部２００は、内側に内部ハウジング１０を収容するための収容空間２３３、これに連通する開口部２３２を備えるとともに、側面に内部ハウジング１０を正規組み付け位置で固定するための係合片２３５、２３５を備える。
【００２５】
〈ロック構造〉
ロック片２０５は、図３から図６に示されるように、嵌合方向（前後方向）に沿ってシェル本体部２００の上面から側面にかけて形成された切り出し片で、嵌合側（前側）の基端部２１０を含む前ロック片２０５ａと、反嵌合側（後側）の自由端部（先端部２１１）を含む後ロック片２０５ｂとを備える。ロック片２０５は、シェル本体部２００から切り出され、周囲に切り欠き部２０３によって作られたロック片２０５の内外方向（図３の紙面を貫く方向）の動きが干渉されない程度の隙間を備える。これにより、ロック片２０５は、内外方向に弾性的に変位可能である。ロック片２０５は、通常時シェル本体部２００の上面及び側面の一部を構成するとともに、ロック操作によって上面に備えた突起状のロック爪２１２で対応する図示しないコネクタと係合する。
【００２６】
ロック片２０５は、図４に示されるように、切り欠き部２０３がシェル本体部２００の側面上端まで及ぶため、前ロック片２０５ａは、周方向の端縁がシェル本体部２００の側
面まで回りこむスカート部２０６を備える。スカート部２０６は、シェル本体部２００の側面に回り込むことで、ロック片２０５の剛性を補強し、繰り返し操作による剛性劣化を防ぐとともに、実効操作長を長くすることでロック操作力の緩和が図られている。
【００２７】
ロック片２０５は、図３に示されるように、長手方向の中間部で切り欠き部２０３がシェル本体部２００の上面に移るため、ここから幅を狭めて後ロック片２０５ｂを構成する。後ロック片２０５ｂは、幅方向（長手方向に直交する方向）の端面がシェル本体部２００の側面近傍まで延びるとともに、先端部の端面がシェル本体部２００の上面後端近傍まで延びる。ロック片２０５は、後ロック片２０５ｂの側面の一部から幅方向に張出すウイング２１３、２１３を備えている。
【００２８】
ウイング２１３は、図３、図４に示されるように、シェル本体部２００の側面に備わる規制部２２０と協働してロック片２０５の内向き（下向き）の変位を規制する。ウイング２１３は、ロック片２０５の下降に従い内向き（下向き）に変位し、これにより、ウイング２１３の下面に備わる当接面２１４が規制部２２０に当接するので、ここで、ロック片２０５の変位が規制されることとなる。
【００２９】
ウイング２１３は、ロック片２０５と一体的に形成され、後ロック片２０５ｂの前端部の側辺から水平方向に延出する。ウイング２１３は、ロック片２０５と同じ面上に広がる平面視矩形状で、その幅方向（長手方向に直交する方向）の先端は、ほぼシェル本体部２００の外側面のラインまで延びている。すなわち、ウイング２１３は、シェル本体部２００の側面に掛かる位置まで、その先端を延ばしている。
【００３０】
ウイング２１３は、図４に示されるように、長手方向（前後方向）のロック爪２１２が備わる位置と概ね同じ位置にある後ロック片２０５ｂの側辺に備わる。これにより、経時変形の有無やその量の多寡に左右されることのない、実際にロック爪２１２の係止に必要な変位量付近で変位規制手段の構築が可能になる。勿論、ウイングの位置は、この位置に限定されるものではない。
ウイング２１３は、板厚に比べて長手方向（前後方向）に大きな寸法を有している。これにより、ウイング２１３はそれ自体の剛性が向上し、特に付け根付近の変形が抑制される。
【００３１】
規制部２２０は、図４に示されるように、シェル本体部２００の側面の上端縁に構成された、シェル２０の側面の角部が鉤状に切り欠かれた部分を備える。規制部２２０は、ウイング２１３の変位を受け止めて変位を規制する。規制部２２０は、ウイング２１３の当接面２１４を受け止めるだけの大きさを備え、ウイング２１３の長手方向（前後方向）の長さよりもやや大きい寸法を有している。変位の規制値は、規制部２２０の切り欠き深さで定められ、ロック爪２１２の係止に必要なストロークよりも大きく、且つ、塑性変形が生じない弾性変形領域内に設定される。
【００３２】
規制部２２０は、図４に示されるように、ウイング２１３の当接面２１４を直接受け止めるための規制面２２１を備える。規制面２２１は、シェル本体部２００の切り欠きによってできた切断面である。これにより、規制面２２１の厚みは、シェル本体部２００を構成する金属圧延材の板厚程度である。規制面２２１は、長手方向（前後方向）に延びる平坦面である。
【００３３】
バレル部２５０は、図３に示されるように、Ｕ字状に曲げられた二枚の縦板と、底部とによって電線５０端部で編組を加締め、導電性の編組と電気的機械的に接続する。バレル部２５０は、連結部２４０によってシェル本体部２００に連なる。これにより、シェル本体部は、電線編組に対して同電位になる。
【００３４】
〈内部ハウジング〉
内部ハウジング１０は、図７から図９に示されるように、絶縁性材料の合成樹脂からなる射出成形品であり、高周波信号が流れるコンタクト３０と、その周囲を覆う導電性のシェル本体部２００との間に備わる。内部ハウジング１０は、前方に鍔部１３０、その後方に胴体部１１０を備えた断面矩形の筒状体である。内部ハウジング１０にシェル本体部２００が装着された際、シェル本体部２００によって覆われるところが胴体部１１０、露出するところが鍔部１３０である。シェル２０の装着後、シェル本体部２００の表面と、鍔部１３０の表面とが面一状態になるように、鍔部１３０は、胴体部１１０に比べて概ねシェル２０の板厚１枚相当分張出している。また、胴体部１１０の表面は概ね平坦状に構成されている。
【００３５】
内部ハウジング１０は、図８、図９に示されるように、前面に開口部１１１、および内部にコンタクト３０を収容するための嵌合空間１１２を備えるとともに、側面にシェル２０を正規組み付け位置で固定するための係合凹部１１３、１１３を備えている。
【００３６】
〈コネクタの組み付け〉
コネクタ１の組み付けについて図面にしたがって説明する。図１０は本発明の実施形態に係るコネクタの組み付け完成品の外観斜視図である。図１１は同コネクタの組み付け工程図であって、（Ａ）はコンタクトと電線を組み付ける工程、（Ｂ）はコンタクトを内部ハウジングに組み付ける工程、（Ｃ）はシェルを内部ハウジングに組み付ける工程、（Ｄ）は外部ハウジングを組み付ける工程である。図１２は図１０のＸＩＩ−ＸＩＩ線に沿った断面図である。
【００３７】
本発明の実施形態に係るコネクタ１は、図１１に示されるように、第１から第４までの組み付け工程によって組み付けられる。第１工程（Ａ）；コンタクト３０に電線５０を圧着する工程。外部シース、編組等の処理が完了した電線５０の芯線の先端をストリップし、露出した導体部をコンタクト３０後端部に備わる圧着部に電気的機械的に接続する。第２工程（Ｂ）；コンタクト３０を内部ハウジング１０に組み付ける工程。内部ハウジング１０の内側に形成されたコンタクト受部１２０にコンタクト３０を組み付ける。コンタクト受部１２０に備わる図示しない樹脂製のランスにコンタクトの図示しない係合突起部が係合することで、コンタクト３０は内部ハウジング１０に固定される。
【００３８】
第３工程（Ｃ）；シェル２０を内部ハウジング１０に組み付ける工程。図１１に示されるように、後方から周面上をスライドして内部ハウジング１０の正規組み付け位置にあるシェル２０は、その側面に備わる係合片２３５、２３５が内部ハウジング１０の係合凹部１１３、１１３と係合し、ここで内部ハウジング１０に固定される。また、シェル２０のバレル部２５０と、電線５０の編組とを電気的機械的に接続する。接続は加締め方式でおこなう。
【００３９】
第４工程（Ｄ）；外部ハウジング４０を組み付ける工程。図１１に示されるように、外部ハウジング４０をシェル２０で周面が覆われた状態の内部ハウジング１０に組み付ける。外部ハウジング４０は、内部ハウジング１０の先頭部から組み付けられる。外部ハウジング４０は、内周面上に備わる図示しない樹脂製のランスがシェル２０に備わる図示しない係合突起部に係合することで、正規組み付け位置で固定される。外部ハウジング４０の内周面は、シェル２０の周面に密接した状態で組み付けられる。外部ハウジング４０は、シェル本体部２００の前半部分が露出する態様で、シェル２０と電線５０の端部が接続するバレル部２５０を覆う位置に組み付けられる。このとき、外部ハウジング４０に備わるロック操作部４１０の内面は、シェル本体部２００のロック片２０５の外面に当接する位置にある。
【００４０】
〈組み付け完了〉
組み付けが完了したコネクタ１は、図１０に示されるように、コンタクト３０を備えた内部ハウジング１０によって嵌合空間１１２が形成されるとともに、その周面が概ね全体シェル２０で覆われ、さらにシェル２０の一部が外部ハウジング４０で覆われた構造である。さらに、後端ではバレル部２５０で接続された電線５０が延出している。
【００４１】
〈作用原理〉
本発明の実施形態に係るコネクタ１のロック構造の作用について図面を参照しつつ説明する。図１３は本発明の実施形態に係るコネクタのロック片の変位の規制状態を示す要部拡大図であり、（Ａ）はロック片の変位途中を示す斜視図であり、（Ｂ）はロック片の変位が規制された状態を示す斜視図である。
【００４２】
片持ち梁状のロック片２０５は、材料固有の剛性を有しているが、変位が所定量を超えると弾性領域から外れて塑性変形を起こす。シェル２０単体での搬送時や、ハーネス加工時に、ロック片２０５の変位が弾性領域を超えるほどの外力が加わる場合がある。本発明のロック構造は、このような力に対して、ロック片２０５の変位を弾性領域内に留める変位規制手段を備えるものである。
【００４３】
内側（下側）に変位可能なロック片２０５は、弾性的に変位し、所定の変位量に達すると、ロック片から幅方向に張出したウイング２１３がシェル本体部２００の側面に鉤状に切り欠かれた規制部２２０に当接する。当接は、平坦なウイング２１３の下面の当接面２１４と、規制部２２０の平坦な規制面２２１との間で生じる。ウイング２１３の幅方向（長手方向に直交する方向）の先端は、シェル本体部２００の外側面まで延びているので、ウイング２１３の先端は、シェル本体部２００の側面に備わる規制面２２１に掛かる。これにより、ロック片２０５の変位が抑制されるので変位は弾性領域内に留まることとなる。
【００４４】
規制を受けるロック片２０５の変位位置は、規制部２２０を形成する切り欠き深さにより設定可能である。ロック片２０５の変位限界を小さくするためには、切り欠き深さを浅くし、ロック片２０５の変位限界を大きくするためには、切り欠き深さを深くする。
【００４５】
〈効果〉本実施形態では、以下に示す効果を得ることができる。
・本実施形態に係るコネクタ１は、ロック構造を備えている。これにより、対応するコネクタに対してロック構造による固定が可能で抜けにくいコネクタ構造が得られる。
・本実施形態に係るコネクタ１は、シェル本体部２００の表面に切り出されたロック片２０５を備え、ロック片２０５は、概ねシェル本体部２００の上面全体を、その表面に対して面一状態で構成している。これにより、シェル本体部２００のシールド性が損なわれることがない、ロック構造を備えたコネクタ１が得られる。
【００４６】
・本実施形態に係るコネクタ１は、ロック構造がシェル本体部２００と一体的に構成されている。これにより、部品点数の増加や組み付け工数の増加を伴うことのないロック構造を備えたコネクタ１が得られる。
・本実施形態に係るコネクタ１は、ロック構造を構成するロック片２０５がウイング２１３を備え、内向きの変位限界を越えると、ウイング２１３が規制部２２０に当接する変位規制手段を備えている。これにより、ロック片２０５はこれ以上の変位が規制されるので、ロック片２０５の塑性変形が抑制されるコネクタ１が得られる。
【００４７】
・本実施形態に係るコネクタ１は、シェル本体部２００の側壁が切り欠きによって形成される規制部２２０を備える。これにより、ロック片２０５の変位限界の設定が、この切り
欠き深さの設定量で容易におこなえるコネクタ１が得られる。
・本実施形態に係るコネクタ１は、簡単なプレス加工のみから得られるロック構造を備えている。これにより、作業効率が低下することのないロック構造を備えたコネクタ１が得られる。
【００４８】
・本実施形態に係るコネクタ１は、ウイング２１３の端縁部も含めたロック片２０５の幅がシェル本体部２００の幅と同じ程度であり、規制部２２０もシェル本体部２００の側面の切り欠きによって構成される。これにより、本来のシェル本体部２００の外径を変更することのない小型化が可能なコネクタ１が得られる。
【００４９】
以上、本発明を実施形態に基づいて説明したが、本発明は、上述した実施形態に限られるものではなく、発明思想の範囲内で種々の変更が可能である。別の実施形態について図面を参照しつつ説明する。図１４は別の実施形態に係るシェルの外観斜視図である。先に説明した実施形態と同じ構造のものには同じ符号を付し、変更がある構造には新たな符号を付す。また、重複する説明を避けるために、別の実施形態の特徴部分のみ説明を加える。
【００５０】
別の実施形態に係るコネクタ１のウイング２１３Ａ、２１３Ａは、図１４に示されるように、後ロック片２０５ａの前端部から幅方向に張出し、張出し方向の先端が中ほどで９０度下に向いた構造を備えている。ウイング２１３Ａは、その先端の切断面に当接面２１４Ａを備えている。一方規制部２２０Ａ，２２０Ａは、シェル本体部２００の側面の中央部に形成され、底部の切断面に規制面２２１Ａを備えている。このような構成で、ウイング２１３Ａの内向き（下向き）の変位に対してその限界位置で、ウイング２１３Ａの当接面２１４Ａが規制部２２０Ａの規制面２２１Ａに当接し、この位置で変位が規制されることとなる。このような構成をとる場合も、概ね上述した作用効果が得られる。
【符号の説明】
【００５１】
１              コネクタ
１０            内部ハウジング
１１０          胴体部
１１１          開口部
１１２          嵌合空間
１１３          係合凹部
１２０          コンタクト受部
１３０          鍔部
２０            シェル
２００          シェル本体部
２０３          切り欠き部
２０５          ロック片
２０５ａ        前ロック片
２０５ｂ        後ロック片
２０６          スカート部
２１０          基端部
２１１          先端部（自由端部）
２１２          ロック爪
２１３、２１３Ａ      ウイング
２１４、２１４Ａ      当接面
２２０、２２０Ａ      規制部
２２１、２２１Ａ      規制面
２３２          開口部
２３３          収容空間
２３５          係合片
２４０          連結部
２５０          バレル部
３０            コンタクト
４０            外部ハウジング
４１０          ロック操作部
５０            電線
【図１】
0005907622.tif 000002
【図２】
0005907622.tif 000003
【図３】
0005907622.tif 000004
【図４】
0005907622.tif 000005
【図５】
0005907622.tif 000006
【図６】
0005907622.tif 000007
【図７】
0005907622.tif 000008
【図８】
0005907622.tif 000009
【図９】
0005907622.tif 000010
【図１０】
0005907622.tif 000011
【図１１】
0005907622.tif 000012
【図１２】
0005907622.tif 000013
【図１３】
0005907622.tif 000014
【図１４】
0005907622.tif 000015